Podtech/llm-jp-corpus-v4-ja_patent huggingface dataset:
【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】
インクジェット・プリントカートリッジであって、
インク供給源と、
基板であって、該基板の第１の表面に形成されたバリア層によって画定される複数のインク噴出チェンバを有すると共に、該インク噴出チェンバのそれぞれにインク噴出要素を有し、予め定められた滴量および滴速度をもつインク滴を噴出する基板と、を備え、
前記インク噴出チェンバは、それぞれがほぼ同じ長さの入口チャネルを持ち、予め定められた印刷解像度を提供するよう間隔をあけて配列されており、
該インクジェット・プリントカートリッジは、さらに、
複数のインク開口部を持つノズル部材であって、該開口部が前記インク噴出チェンバに位置合わせされるよう、前記バリア層の上に位置付けられるノズル部材と、
前記インク供給源を、前記入口チャネルに接続するインクチャネルと、
を備える、インクジェット・プリントカートリッジ。
【請求項２】
前記予め定められた滴量は、１０ピコリットルより小さく、前記予め定められた滴速度は、毎秒１５メートルより大きい、
請求項１に記載のインクジェット・プリントカートリッジ。
【請求項３】
前記予め定められた滴量は、５ピコリットルより小さく、前記予め定められた滴速度は、毎秒１５メートルより大きい、
請求項１に記載のインクジェット・プリントカートリッジ。
【請求項４】
前記予め定められた滴量は、５ピコリットルより小さく、前記予め定められた滴速度は、毎秒１０メートルより大きい、
請求項１に記載のインクジェット・プリントカートリッジ。
【請求項５】
インクジェット・プリントカートリッジであって、
インク供給源と、
基板であって、該基板の第１の表面に形成された所与の厚さのバリア層によって画定された、予め定められた大きさの複数のインク噴出チェンバを有すると共に、該インク噴出チェンバのそれぞれに、予め定められた大きさのインク噴出要素を有し、インク滴を噴出する基板と、を備え、
前記インク噴出チェンバは、それぞれが同じ長さの入口チャネルを持ち、予め定められた解像度を提供するよう間隔をあけて配列されており、
該インクジェット・プリントカートリッジは、さらに、
複数のインク開口部を持ち、所与の厚さのノズル部材であって、前記バリア層の上に位置付けされると共に、該開口部が前記インク噴出チェンバに位置合わせされるノズル部材と、
前記インク供給源を、前記入口チャネルに接続するインクチャネルと、
を備える、インクジェット・プリントカートリッジ。
【請求項６】
前記ノズル部材の厚さは、４０ミクロンより小さい、
請求項１または５に記載のインクジェット・プリントカートリッジ。
【請求項７】
前記ノズルの厚さは、２０ミクロンより小さい、
請求項１または５に記載のインクジェット・プリントカートリッジ。
【請求項８】
前記ノズル部材は、ノズルの入口の直径およびノズルの出口の直径を持ち、該ノズルの入口の直径が、２４ミクロンから４４ミクロンである、
請求項１または５に記載のインクジェット・プリントカートリッジ。
【請求項９】
前記ノズル部材は、ノズルの入口の直径およびノズルの出口の直径を持ち、該ノズルの出口の直径が、８ミクロンから１４ミクロンである、
請求項１または５に記載のインクジェット・プリントカートリッジ。
【請求項１０】
前記インクチャネルは、第１のチャネルを含み、該第１のチャネルは、第１の終端で前記インク供給源に接続され、第２の終端で、前記インク噴出チェンバのそれぞれについて、前記バリア層に形成された前記入口チャネルに接続されると共に、さらに、該噴出チェンバに接続され、
前記入口チャネルにより、前記インク噴出チェンバの高周波の再充填が可能になる、
請求項１または５に記載のインクジェット・プリントカートリッジ。
【請求項１１】
前記インク噴出要素の高周波の再充填は、３０ｋＨｚより大きい、
請求項１０に記載のインクジェット・プリントカートリッジ。
【請求項１２】
前記インク噴出要素の高周波の再充填は、４５ｋＨｚより大きい、
請求項１０に記載のインクジェット・プリントカートリッジ。
【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】
複数のインク発射抵抗器（44）を有する着脱可能印字ヘッド（12）を備えているサーマルインクジェットプリンタ（10）を動作させる方法であって、
複数の抵抗器の同時動作に必要な閾値より高い公称入力電圧（Ｖs1）を決定することによりプリンタを較正するステップと、
印刷中、少なくとも幾つかの抵抗器に接続された入力ノード（40）において印字ヘッドの入力電圧を検出するステップと、及び
公称入力電圧より高い検出入力電圧が、短縮された発射パルスにより補償されるように、前記ノードで検出された入力電圧に基づいた持続時間を有する発射パルス（Ｐ2）を発生するステップとを含む、方法。
【請求項２】
前記較正するステップが、前記抵抗器（44）の少なくとも幾つかを、漸次低くなる電圧を使用して、順次発射させることを含む、請求項１に記載の方法。
【請求項３】
前記入力電圧を検出するステップが、前記入力ノードを電流センサ（46）に接続することを含む、請求項１に記載の方法。
【請求項４】
前記発射パルスを発生するステップが、電流入力に関連して上昇する出力制御電圧を有する容量性装置（64）に前記入力ノードを接続することを含む、請求項１に記載の方法。
【請求項５】
前記発射パルスを発生するステップが、パルスを開始し、パルスがエネルギを前記抵抗器に伝えつづけている間に、前記抵抗器に伝えられたエネルギに比例する上昇設定点電圧を発生し、前記設定点電圧が所定閾値まで上昇した際に、パルスを終了することを含む、請求項１に記載の方法。
【請求項６】
着脱可能インクジェット印字ヘッド（12）であって、
プリンタに接続可能な複数の電気入力（40）を有するコネクタと、
前記コネクタに接続された電圧入力ノード（40）と、
前記入力ノードに接続された複数の発射抵抗器（44）と、
前記入力ノードに接続され且つ前記抵抗器に動作可能に接続されて、前記入力ノードの電圧に反比例する持続時間を有する発射パルスで前記抵抗器を発射させるエネルギ制御回路（46、60）であって、電圧変化を補償するための制御において、発射エネルギが、前記発射パルスの持続時間を変えることにより、維持されるようになっている、エネルギ制御回路（46、60）とを備える、着脱可能インクジェット印字ヘッド。
【請求項７】
前記エネルギ制御回路が、前記抵抗器に供給されるエネルギを評価するための電圧−エネルギ変換器（60）を含む、請求項６に記載の印字ヘッド。
【請求項８】
前記変換器に接続された入力と、前記抵抗器に動作可能に接続されて、前記変換器の出力が所定閾値より上に上昇したときに終了する限定持続時間を有するパルスを配給するための出力とを有する電圧比較器（70）を含む、請求項７に記載の印字ヘッド。
【請求項９】
前記エネルギ制御回路が、前記入力ノードの電圧、及び前記入力ノードに接続される時間に関連して、電荷を蓄積するコンデンサ（64）を含む、請求項６に記載の印字ヘッド。
【請求項１０】
前記入力ノードと前記エネルギ制御回路との間のスイッチに動作可能に接続された発射入力（56）を含み、前記エネルギ制御回路は、前記スイッチが前記発射入力の発射パルスの前縁によって閉じられるまで、前記入力ノードから分離されるようになっている、請求項６に記載の印字ヘッド。
【手続補正２】
【補正対象書類名】明細書
【補正対象項目名】００１２
【補正方法】変更
【補正の内容】
【００１２】
パルス幅制御ブロック70は、パルス幅切り詰めのための論理を備えており、連続時間電圧比較器は、変換器60の出力に接続された第１の入力（これはエネルギ信号を伝える）、設定点電圧基準装置72により代わる代わる制御されるＤＡＣの出力に接続された第２の入力及び発射線56に接続される制御線を備える。制御ブロックの比較器は、出力線74を備え、発射線上のパルスによりトリガされて開始され、また変換器60の出力が変換器80の出力に等しいときもしくは発射パルスが終わるときのいずれかが先に生じても、出力線74は電圧パルスを伝える。第２の比較器出力線75の切り詰め検出信号は、回路が発射パルスを切り詰めたことを示す状態情報を制御論理回路に与える。この信号は較正の目的に使用される。
【手続補正３】
【補正対象書類名】明細書
【補正対象項目名】００１６
【補正方法】変更
【補正の内容】
【００１６】
抵抗器セット42の所定の群を発射するのに、プリンタは電圧Ｖppを線40で送り、持続時間一杯の発射パルスを線56で伝える。発射パルスに応答して、比較器は、発射パルスを抵抗器発射スイッチ82に伝え、所定のスイッチを閉じ、抵抗器を接地して電流を流し、発射エネルギを発生する。また線56の発射パルスの開始に応答して、スイッチ52が閉じ、わずかな電流が抵抗器50及び54を介して流れることが可能となり、線62における抵抗器間の電圧は、作動抵抗器に流れる電流によって影響される線40のＶppに比例する。
【手続補正４】
【補正対象書類名】明細書
【補正対象項目名】００１８
【補正方法】変更
【補正の内容】
【００１８】
出力電圧が、動作較正時に（以下に説明するように）実験的に決められた所定の設定点電圧に達すると、制御ブロック70の比較器は、線74で発射抵抗器に伝えられるパルスを終了する。このプロセスで、発射のために選択されている限られた数の抵抗器に対してのみＶppが高いときは、線62の電圧はより高くなり、コンデンサの充電する割合は増大する。その結果、パルスは、更に短い持続時間後に終了して、配給される一定したエネルギを維持する。Ｖppが較正中に決定された点より下に降下する場合には、及びコンデンサ電圧がプリンタ発射パルスが終わる前に設定点に達しない場合には、プリンタ発射パルスは、比較器を無効にしてエネルギ配給を終了する。ペン周波数及び印刷速度の要求事項が妨げられないかぎり、このような低いＶpp状態は、発射パルスを較正後わずか長くすることにより補償することが可能である。
【手続補正５】
【補正対象書類名】明細書
【補正対象項目名】００４４
【補正方法】変更
【補正の内容】
【００４４】
【発明の効果】
複数のインク発射抵抗器（42）を有する着脱可能印字ヘッド（12）を備えているサーマルインクジェットプリンタ（10）を動作させる方法であって、この動作は複数の抵抗器の同時動作に対して必要な閾値より上の公称入力電圧（Ｖs1）を決定することによりプリンタを較正することを含む。さらに印刷中、抵抗器に接続された入力ノード（40）での印字ヘッドにかかる入力電圧を検出し、ノードで検出された入力電圧に基づく持続時間を有する発射パルスを発生する。それにより公称電圧より高い検出入力電圧が、短縮された発射パルスにより補償される。この方法は、プリンタに接続可能な多くの電気的入力及びコネクタに接続される電圧入力ノード（40）を備えるコネクタを有する着脱可能インクジェットプリンタにおいて達成される。印刷ヘッドは、入力ノードに接続される多くの発射抵抗器（42）を有する。エネルギ制御回路（46、60）は入力ノードに接続され、入力ノードの電圧に反比例する持続時間を有する発射パルスで抵抗器を発射させ、それによって発射エネルギが、発射パルスを変化させることによって維持され、電圧変化に対して補償される。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】
支持基板（２０）内に貫通開口部として形成された複数のインク補充スロット（３２）を有する支持基板（２０）と、
前記支持基板の第１の面（２８）に装着された複数のプリントヘッドダイであって、各プリントヘッドは、複数の配列した印刷要素（２４）およびインク補充流路（４２）を備え、前記配列した印刷要素の各１つの印刷要素は、ノズルチャンバ（３６）、射出用抵抗器（４０）、供給流路（４４）、ノズル開口部（３８）および配線ライン（４６）を備え、各１つのプリントヘッドダイに対して、インク流路が、前記複数のインク補充スロット（３２）の１つスロットから、前記１つのプリントヘッドダイのインク補充流路（４２）を通り、前記配列した複数の印刷要素のそれぞれの前記供給流路（４４）を通って、前記複数の印刷要素のそれぞれの前記ノズルチャンバ内まで形成されることからなる、複数のプリントヘッドダイ（１８）と、
前記支持基板の第２の面（７２）に搭載される複数の駆動回路であって、前記第２の面が前記第１の面の反対側にあり、該駆動回路が、前記配列した印刷要素の前記配線ラインに電気的に結合されることからなる、複数の駆動回路（３０）と、
前記支持基板の前記第２の面に搭載される複数の論理回路であって、該論理回路は、前記駆動回路に電気的に結合され、該論理回路が制御信号を受信し、それに応答して、射出すべき印刷要素を選択するために、複数の駆動回路に対して出力信号を発生することからなる、複数の論理回路（２９）
を備える、ワイドアレイインクジェットペン（１０）。
【請求項２】
複数の相互接続（９０）は、前記第１の面と前記第２の面の間を前記支持基板を貫通して形成されて、各プリントヘッドダイの各印刷要素の前記配線ラインを前記駆動回路に結合することからなる、請求項１のペン。
【請求項３】
前記複数のプリントヘッドダイの各１つのプリントヘッドダイの各一つの印刷要素に対する前記ノズル開口部（３８）は、共通配向面（５８）に沿って、前記複数のプリントヘッドダイの各１つのプリントヘッドダイ上にあって前記支持基板から離れており、前記複数のプリントヘッドダイの各１つは、前記共通配向面で複数の接点（４６）をさらに備えており、前記複数のプリントヘッドダイの各１つは、前記複数の接点のそれぞれの１つの接点から、前記１つのプリントヘッドダイを通って延びて、前記支持基板を貫通して形成された前記複数の相互接続の１つの相互接続（９０）と電気的に接触する複数の相互接続（８０）をさらに備えることからなる、請求項２のペン。
【請求項４】
前記支持基板は、前記支持基板の第１の面において複数のはんだ濡れパッド（８６）をさらに備え、前記複数のプリントヘッドダイの各１つは、濡れパッド（８４）にはんだ付けされ、前記基板の濡れパッド（８６）および前記ダイの濡れパッド（８４）は、整列するように正確に位置決めされ、はんだリフロー中に、前記複数のプリントヘッドダイの各１つは、前記濡れパッドの整列位置に合致することからなる、請求項１のペン。
【請求項５】
前記複数のプリントヘッドダイの各１つに対して、前記１つのプリントヘッドダイと前記支持基板の間の前記インク流路のまわりに、はんだ（７８）が流体境界を形成することからなる、請求項４のペン。
【請求項６】
前記支持基板はシリコンからなり、前記複数のプリントヘッドダイのそれぞれもシリコンからなる、請求項１のペン。
【請求項７】
前記支持基板は多層セラミックからなり、前記複数のプリントヘッドダイのそれぞれはシリコンからなる、請求項１のペン。
【請求項８】
支持基板（２０）上に複数の完全一体型のサーマルインクジェットプリントヘッドダイ（１８）を装着するための方法であって、
前記支持基板の第１の表面（７０）に沿って位置合せされる複数のはんだ濡れパッド（８６）を製作するステップと、
前記複数のプリントヘッドダイの各１つに対して、該１つのプリントヘッドダイの第１の表面（６０）上に、複数個のはんだ濡れパッド（８４）を製作するステップであって、前記複数のプリントヘッドダイのはんだ濡れパッドの各一つのパッドが、前記支持基板上の対応する濡れパッドと共通の形状を有し、前記１つのプリントヘッドダイが、第１の表面および、該第１の表面の反対側の第２の表面（５８）を有し、前記第２の表面が複数のノズル開口部（３８）を備えることからなる、ステップと、
前記複数のプリントヘッドダイの各１つに対して、前記支持基板に前記１つのプリントヘッドダイを保持し、前記支持基板に前記１つのプリントヘッドダイをはんだ付けするステップであって、はんだ付け中、はんだリフローによって、前記１つのプリントヘッドダイの前記濡れパッドを、前記支持基板の対応する濡れパッドに位置合せするように移動させるステップ
を含む、方法。
【請求項９】
前記支持基板は、該基板内に貫通開口部として形成された複数のインク補充スロット（３２）を有し、各プリントヘッドダイは、配列した複数の印刷要素（２４）およびインク補充流路（４２）を備え、各１つのプリントヘッドダイに対して、インク流路が、前記複数のインク補充スロットの１つのスロットから、前記１つのプリントヘッドダイのインク補充流路まで形成され、前記複数のプリントヘッドダイの各１つに対して、前記１つのプリントヘッドダイと前記支持基板の間の前記インク流路のまわりに、はんだが流体境界を形成することからなる、請求項８の方法。
【請求項１０】
インクジェトプリントヘッドダイ（１８）を貫通して延びる導電性の相互接続（８０）を製作する方法であって、前記プリントヘッドダイは、複数の配列した印刷要素（２４）およびインク補充流路（４２）を備え、前記配列した印刷要素の各１つの印刷要素は、ノズルチャンバ（３６）、射出用抵抗器（４０）、供給流路（４４）、ノズル開口部（３８）及び配線ライン（４６）を備え、各印刷要素のためのノズル開口部が、前記プリントヘッドダイの第１の表面（５８）に沿っており、
前記プリントヘッドダイの前記第１の表面の反対側の第２の表面（６０）内に溝（９２）をエッチングするステップと、
前記第１の溝の一部に沿って導電性部材（８０）を堆積するステップと、
前記プリントヘッドダイの前記第２の表面で、前記インク補充流路（４２）をエッチングするステップと、
前記プリントヘッドダイの前記第１の表面から、前記導電性部材に延びる開口部を形成するステップと、
前記開口部内に導電性部材（８０）を堆積するステップと、
前記開口部の前記導性部材および前記溝を、所与の印刷要素の配線ライン（４６）に電気的に結合するために、前記プリントヘッドダイの第１の表面に沿って導電性パターン（４６）を堆積するステップ
を含む、方法。
【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
インクを吐出するノズルがそれぞれに複数形成された複数の記録ヘッドの前記ノズルからインクを吐出して記録媒体に画像を形成するインクジェット方式画像形成装置における、前記ノズルからインクを吸引して前記複数の記録ヘッドのインク吐出状態を初期の吐出状態に回復させる回復装置において、
前記複数の記録ヘッドそれぞれに形成されたノズルの出口それぞれを着脱自在に覆う複数のキャップと、
該複数のキャップそれぞれに接続された複数のチューブと、
該複数のチューブをタイミングをずらしてしごき、前記複数の記録ヘッドの各ノズルからインクを吸引するしごき手段とを備えたことを特徴とする回復装置。
【請求項２】
前記しごき手段は、
前記複数のチューブそれぞれの側面が当接する、互いに並行に延びる複数の当接部と、
該複数の当接部それぞれに前記複数のチューブの前記側面をタイミングをずらして押し付けて該複数のチューブを、タイミングをずらしてしごく複数の押圧コロとを備えたものであることを特徴とする請求項１に記載の回復装置。
【請求項３】
前記複数の押圧コロを保持して一体となって回転させるコロホルダを備えたことを特徴とする請求項２に記載の回復装置。
【請求項４】
前記複数の押圧コロは、前記コロホルダの円周方向に互いに９０度ずつずれたものであることを特徴とする請求項３に記載の回復装置。
【請求項５】
前記しごき手段は、
前記複数のチューブのうち、並行に延びる部分の側面が、該チューブの長手方向に互いに位置をずらして当接する複数の当接部と、
該複数の当接部それぞれに前記複数のチューブの側面を押し付けて該複数のチューブをタイミングをずらしてしごく複数の押圧コロとを備えたものであることを特徴とする請求項１に記載の回復装置。
【請求項６】
前記複数の押圧コロを保持して一体となって回転させるコロホルダを備えたことを特徴とする請求項５に記載の回復装置。
【請求項７】
前記複数の押圧コロは、回転方向の所定位置において前記複数のチューブの全てを押圧しないものであることを特徴とする請求項６に記載の回復装置。
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】
下記の段階
ａ）親水性表面を有する石版印刷基板と、ポリマーを含んでなり、アルカリ水溶液に可溶であり且つＳｉＯ２をシリケートとして含有するアルカリ現像液に対して非透過性であるＩＲ放射線に感受性のトップ層とからなるヒートモード画像形成要素を製造し、
ｂ）該ヒートモード画像形成要素をＩＲ放射線に画像通りに露光し、
ｃ）該画像通りに露光されたヒートモード画像形成要素を該アルカリ現像液で現像し、それによりトップ層の露光領域を溶解させ且つトップ層の未露光領域を溶解させないまま残す、
ことを含む石版印刷版の作製方法であって、該トップ層がＩＲ−吸収性顔料および３，４，５−トリメトキシ安息香酸またはベンゾフェノンを含むことを特徴とする方法。
【請求項２】
ＩＲに感受性の層に含まれる該ポリマーが疎水性ポリマーである請求項１に記載の石版印刷版の作成方法。
【請求項３】
該ポリマーがノボラックまたはヒドロキシスチレン単位含有ポリマーである請求項２に記載の石版印刷版の作製方法。
【請求項４】
該ＩＲ−感受性の層が可視光およびＵＶ光−減感された層である請求項１〜３のいずれかに記載の石版印刷版の作製方法。
【請求項５】
該ＩＲ−感受性の層が熱で硬化し得る請求項１〜４のいずれかに記載の石版印刷版の作製方法。
【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】
下記の段階
ａ）親水性表面を有する石版印刷基板上に、ポリマーを含み、アルカリ水溶液に可溶な第一の層、光を熱に変換し得る化合物、および石版印刷基板の第一の層と同じ側の、ＳｉＯ２をシリケートとして含むアルカリ現像液が透過しないトップ層を有するヒートモード画像形成要素を調製し、
ｂ）上記ヒートモード画像形成要素を化学光に画像通りに露光させ、
ｃ）上記画像通りに露光させたヒートモード画像形成要素を上記アルカリ現像液で現像し、それによりトップ層の露光領域と第一の層の下にある領域を溶解させそして第一の層の未露光領域を溶解させないまま残す、
段階を含む石版印刷板の作製方法であって、上記トップ層が有機第四級アンモニウム塩を含むことを特徴とする石版印刷板の作製方法。
【請求項２】
上記有機第四級アンモニウム塩が少なくともＣ６の炭素鎖を含む低分子化合物である請求項１に記載の石版印刷板の作製方法。
【請求項３】
上記有機第四級アンモニウム塩がポリマーである請求項１又は２に記載の石版印刷板の作製方法。
【請求項４】
上記有機第四級アンモニウム塩がポリ−ｐ−ビニルベンジルトリメチルアンモニウム塩である請求項３に記載の石版印刷板の作製方法。
【請求項５】
有機第四級アンモニウム塩と光を熱に変換し得る化合物の間の重量比が９８：２から２０：８０の間である請求項１〜４のいずれかに記載の石版印刷板の作製方法。
【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  印刷媒体のシートに印刷するための印刷システムであって、（ａ）第１の印刷速度で前記シート上に画像を印刷するように動作可能な電子写真プリンタと、（ｂ）第２の印刷速度で前記シート上に画像を印刷するように動作可能なインクジェット・カラー・プリンタと、（ｃ）前記電子写真プリンタと、前記インクジェット・プリンタの両方を支持する共通ハウジングとを含み、
前記インクジェット・プリンタがさらに、インクジェット・プリンタ印刷経路に沿って第１または第２の相反するどちらかの方向に前記シートを制御可能に移動させるように動作可能な双方向シート前進機構と、
少なくとも１本のインクジェット・ペンを支持するように構成され、前記シートに印刷するためにインクジェット・プリンタ印刷経路に直角な走査方向に移動可能なインクジェット・ペン・キャリッジと、
インクジェット・カラー・プリンタによって印刷される画像を電子写真プリンタによって印刷される画像に対して位置合せするように動作可能な位置合せシステムとを含み、
前記位置合せシステムは、走査方向に沿ってペン・キャリッジと共に移動するようにインクジェット・ぺン・キャリッジによって支持されている光センサを含み、
前記共通ハウジングは、プリンタの一方が他方のプリンタの上に装着されるように両方のプリンタを支持していることを特徴とする印刷システム。
【請求項２】  前記シートが前記電子写真プリンタによって印刷された後、前記シートを受け取るように構成された出力トレイとして機能し、かつインクジェット・プリンタの入力トレイとしても機能する、ステージング・トレイをさらに備えていることを特徴とする請求項１に記載の印刷システム。
【請求項３】  前記インクジェット・プリンタが増分式移動によって印刷し、前記電子写真プリンタが連続的移動で印刷することを特徴とする請求項２に記載の印刷システム。
【請求項４】  前記光センサが直線状アレイ光センサであることを特徴とする請求項３に記載の印刷システム。
【請求項５】  前記位置合せシステムが、前記光センサを使用して、ドット・レベルの位置合せを行うように構成されていることを特徴とする請求項４に記載の印刷システム。
【請求項６】  前記電子写真プリンタが、前記シート上に位置合せマークを印刷するように構成され、前記位置合せシステムが、光スキャナを使って位置合せマークを検出し、位置合せを行うように構成され、且つ、前記位置合せシステムは、インクジェット・プリンタによる印刷の前に、インクジェット・ペン・キャリッジを走査方向に移動させ、位置合せマークが光センサに検出されるまで、前記シート前進機構が、前記シートをインクジェット用紙経路方向に移動させるように構成されていることを特徴とする請求項５に記載の印刷システム。
【請求項７】  印刷媒体のシートに印刷するための印刷システムであって、（ａ）前記シート上にモノクロ画像を印刷するように構成された電子写真プリンタと、（ｂ）前記シート上にカラー画像を印刷するように構成されたインクジェット・カラー・プリンタと、（ｃ）前記シートが前記電子写真プリンタによって印刷された後、前記シートを受け取るように構成された出力トレイとして機能し、且つ、前記電子写真プリンタによって印刷されたシートが前記インクジェット・プリンタによって印刷される前に、前記シートを前記インクジェット・プリンタに供給する入力トレイとしても機能する、ステージング・トレイとを含み、
前記インクジェット・プリンタがさらに、インクジェット・プリンタ印刷経路に沿って、前記ステージング・トレイから離れる第１方向と前記ステージング・トレイに向かう第２方向のどちらかに前記シートを制御可能に移動させるように構成された双方向シート前進システムと、
少なくとも１本のインクジェット・ペンを支持し、前記シートに印刷するために走査方向に移動可能に構成されたインクジェット・ペン・キャリッジと、
インクジェット・カラー・プリンタによって印刷される画像を電子写真プリンタによって印刷される画像に対して位置合せするように動作可能な位置合せシステムとを含み、
前記位置合せシステムは、走査方向に沿ってペン・キャリッジと共に移動するようにインクジェット・ぺン・キャリッジによって支持されている光センサを含むことを特徴とする印刷システム。
【請求項８】  前記電子写真プリンタが、レーザ・プリンタであることを特徴とする請求項７に記載の印刷システム。
【請求項９】  前記光センサが直線状アレイ光センサであることを特徴とする請求項７に記載の印刷システム。
【請求項１０】  前記電子写真プリンタが、前記シート上に位置合せマークを印刷するように構成され、前記位置合せシステムが、光スキャナを使って位置合せマークを検出し、位置合せを行うように構成され、且つ、前記位置合せシステムは、インクジェット・プリンタによる印刷の前に、インクジェット・ペン・キャリッジを走査方向に移動させ、位置合せマークが光センサに検出されるまで、前記シート前進機構が、前記シートをインクジェット用紙経路方向に移動させるように構成されていることを特徴とする請求項９に記載の印刷システム。
【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
プレイヤーの操作により、筺体内の景品載置空間内に載置された景品を、天井走行型クレーンで景品投入開口まで移動し、前記景品投入開口を介して景品取出し収納部に景品を落下させる景品取得ゲーム機であって、
前記筺体は略直方体に形成され、円弧状に丸くなった角部を有し、
その円弧状となった角部に前記景品取出し収納部に通ずる景品取出し開口が形成され、
前記景品取出し開口を開閉自在に塞ぐ円弧状に湾曲形成された開閉扉と、
前記景品取出し開口から前記景品取出し収納部へ通ずる経路内または該景品取出し収納部内であって、前記開閉扉の内側に、板状または網状等の扁平部材とが設けられ、
前記扁平部材では、前記景品取出し収納部の前記景品投入開口寄りに位置した個所にて、前記景品取出し開口側と該景品投入開口側との間を揺動しうるように、前記扁平部材の景品投入開口側縁が枢着され、前記景品投入開口を閉じる位置よりも前記扁平部材が前記景品投入開口側へは移動できないようストッパー機構が構成されていることを特徴とする景品取得ゲーム機の景品取出し装置。
【請求項２】
前記景品取出し経路を開いた位置関係に、前記扁平部材が、重力またはバネ力等で維持されることを特徴とする請求項１記載の景品取得ゲーム機の景品取出し装置。
【請求項３】
前記景品取出し収納部内に搬出された景品が小さな場合には、前記扁平部材が、揺動されずに、前記景品取出し経路が開かれた位置関係に維持された状態にて、
前記景品取出し収納部内の景品が外部へ取出されうる程度の間隙部が、前記扁平部材の端縁と前記景品取出し収納部壁との間で形成されることを特徴とする前記請求項２記載の景品取得ゲーム機の景品取出し装置。
【請求項４】
前記扁平部材が揺動されずに、前記景品取出し経路が開かれた位置関係に維持された状態にて、前記扁平部材の端縁が前記景品取出し収納部壁との間に密接することを特徴とする請求項２記載の景品取得ゲーム機の景品取出し装置。
【請求項５】
プレイヤーの操作により選択されて筐体内から景品取出し収納部へ搬出された景品を取出す景品取得ゲーム機の景品取出し装置において、
前記筐体内の景品を受入れてこれを収納する景品取出し収納関連体と、
該景品取出し収納関連体の景品取出し収納部内の景品を外部へ取出すことができる開閉扉関連体とよりなり、
前記景品取出し収納関連体と、開閉扉関連体とが、相互に一体に結合されて１ユニット構造に構成されたことを特徴とする景品取得ゲーム機の景品取出し装置。
【手続補正２】
【補正対象書類名】明細書
【補正対象項目名】０００４
【補正方法】変更
【補正の内容】
【０００４】
【課題を解決するための手段および効果】
本出願発明は、このような不具合を解消した景品取得ゲームの景品取出し装置の改良に係り、請求項１記載の発明は、プレイヤーの操作により、筺体内の景品載置空間内に載置された景品を、天井走行型クレーンで景品投入開口まで移動し、前記景品投入開口を介して景品取出し収納部に景品を落下させる景品取得ゲーム機であって、前記筺体は略直方体に形成され、円弧状に丸くなった角部を有し、その円弧状となった角部に前記景品取出し収納部に通ずる景品取出し開口が形成され、前記景品取出し開口を開閉自在に塞ぐ円弧状に湾曲形成された開閉扉と、前記景品取出し開口から前記景品取出し収納部へ通ずる経路内または該景品取出し収納部内であって、前記開閉扉の内側に、板状または網状等の扁平部材とが設けられ、前記扁平部材では、前記景品取出し収納部の前記景品投入開口寄りに位置した個所にて、前記景品取出し開口側と該景品投入開口側との間を揺動しうるように、前記扁平部材の景品投入開口側縁が枢着され、前記景品投入開口を閉じる位置よりも前記扁平部材が前記景品投入開口側へは移動できないようストッパー機構が構成されていることを特徴とするものである。
【手続補正３】
【補正対象書類名】明細書
【補正対象項目名】０００５
【補正方法】変更
【補正の内容】
【０００５】
本願請求項１記載の発明は、前述したように構成されているので、プレイヤーの操作により、筺体内の景品載置空間内に載置された景品を、天井走行型クレーンで景品投入開口まで移動し、該景品投入開口に景品を落下させることに成功すると、該景品投入開口から経路を介して景品収納部へ搬出され、前記開閉扉を開放することにより、該景品収納部内の景品を取出すことができる。
【手続補正４】
【補正対象書類名】明細書
【補正対象項目名】０００６
【補正方法】変更
【補正の内容】
【０００６】
しかし、前記景品取得ゲーム機でプレイを行なわずに、あるいは、景品取得に失敗した場合に、前記景品取出し開口より手または器具を前記景品取出し収納部内に差込もうとしても、該扁平部材に邪魔されて、この不正取出しが阻止される。
【手続補正５】
【補正対象書類名】明細書
【補正対象項目名】０００７
【補正方法】変更
【補正の内容】
【０００７】
前記景品取出し開口から前記景品取出し収納部へ通ずる経路内または該景品取出し収納部内であって、前記開閉扉の内側に前記板状または網状等の扁平部材が、位置して設けられ、前記扁平部材では、前記景品取出し収納部の前記景品投入開口寄りに位置した個所にて、前記景品取出し開口側と該景品投入開口側との間を揺動しうるように、前記扁平部材の景品投入開口側縁が枢着され、前記景品投入開口を閉じる位置よりも前記扁平部材が前記景品投入開口側へは移動できないようストッパー機構が構成されているため、景品を不正に取出すことを防止する構造が簡略化されて、大巾なコストダウンが可能となる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
また、請求項２記載のように発明を構成することにより、前記扁平部材に何等の外力が加えられていない場合には、該扁平部材は、景品取出し経路を開いた位置関係に維持される。
【手続補正８】
【補正対象書類名】明細書
【補正対象項目名】００１０
【補正方法】変更
【補正の内容】
【００１０】
さらにまた請求項３記載のように発明を構成することにより、景品が小さな場合には、前記扁平部材に全く手や景品が触れない状態で、前記景品取出し収納部内の景品を取出すことができる。
【手続補正９】
【補正対象書類名】明細書
【補正対象項目名】００１１
【補正方法】変更
【補正の内容】
【００１１】
そして請求項４記載のように発明を構成することにより、前記扁平部材による景品不正取出し抑制機能を高めることができる。
【手続補正１０】
【補正対象書類名】明細書
【補正対象項目名】００１２
【補正方法】変更
【補正の内容】
【００１２】
しかも、請求項５記載のように発明を構成することにより、前記景品取出し装置をユニット化して、景品取得ゲーム機に頗る容易に確率良く一体に組付けることができる。
【手続補正書】
【提出日】平成16年12月22日(2004.12.22)
【手続補正１】
【補正対象書類名】明細書
【補正対象項目名】０００３
【補正方法】変更
【補正の内容】
【０００３】
【課題を解決するための手段】本発明者は上記に鑑み鋭意研究の結果下記に示す手段により問題を解決した。
（１）歯科用チェアユニットの水回路に、塩化ナトリウムと塩酸を添加混合した水を無隔膜電解槽で電気分解して、残留遊離塩素濃度を１．０〜２００ｐｐｍ、ｐＨを３〜７の範囲に調整された殺菌水を生成する殺菌水生成装置を備えたことを特徴とする歯科用治療装置。
（２）原水と殺菌水生成装置からの供給水とを、交互に切り換える水回路切替制御器を備えてなることを特徴とする（１）項に記載の歯科用治療装置。
【手続補正２】
【補正対象書類名】明細書
【補正対象項目名】０００４
【補正方法】変更
【補正の内容】
【０００４】
【発明の実施の形態】本発明は、水回路切換制御器と殺菌水生成装置とを連結し、歯科用チェアユニットを介して、インスツルメントに供給する形態とする。
以下に、その一事例の構造及び作用を図に基づいて説明する。
図１は、本発明歯科用治療装置の水回路切換制御器及び殺菌水生成装置の外観斜視図であり、
図１の（イ）は正面斜視図、（ロ）は（イ）図の背面斜視図である。
図において、１は原水供給ホース、２は水回路切換制御器、３は殺菌水生成装置、１０は水回路自動・手動切換ＳＷ、１１は水回路表示ランプ、１２は導水時間設定器、１３は残留遊離塩素濃度調整自動・手動切換ＳＷ、１４は残留遊離塩素濃度設定器、１５は残留遊離塩素濃度指示計、１６はｐＨ値表示ランプ、１７はユニット供給水ホース、２３は筺体、２４は電源コードを示す。
【手続補正３】
【補正対象書類名】明細書
【補正対象項目名】０００５
【補正方法】変更
【補正の内容】
【０００５】
（イ）図に示したように、筺体２３の正面パネルの上部には、水回路切換制御器２の操作スイッチ（水回路自動・手動切換ＳＷ１０、導水時間設定器１２）及び水回路表示ランプ１１が配設され、正面パネルの下部には、殺菌水生成装置３の操作スイッチ（残留遊離塩素濃度調整自動・手動切換ＳＷ１３、残留遊離塩素濃度設定器１４）と、残留遊離塩素濃度指示計１５及びｐＨ値表示ランプ１６等が配設されている。
また、（ロ）図に示したように、筺体２３背面には原水供給ホース１、ユニット供給水ホース１７、電源コード２４が設けられている。
前記供給水ホース１７からの供給水は、歯科用チェアユニット（６）を介して、インスツルメント（７）に供給される。
【手続補正４】
【補正対象書類名】明細書
【補正対象項目名】０００６
【補正方法】変更
【補正の内容】
【０００６】
次に、本発明装置のブロック図に基づいて作用を説明する。
図２は歯科用治療装置のブロック図である。
図において、５は残留遊離塩素濃度・ｐＨ値調整部、６は歯科用チェアユニット、７はインスツルメント、８、８′はソレノイドバルブ、９は逆止弁、１８は水回路Ａ、１９は水回路Ｂ、２０はインスツルメント内水路、２１はインスツルメント給水ホースを示す。
まず、本装置の操作フローと作用を説明する。
原水供給ホース１からの導水は、水回路Ａ用ソレノイドバルブ８あるいは、水回路Ｂ用ソレノイドバルブ８′を、水回路切換制御部４からの制御により、交互にＯＮ、ＯＦＦして切り換え、水回路を選択する。
この作用は、水回路自動・手動切換ＳＷ１０により自動あるいは手動に設定できる。また、選択された水回路は水回路表示ランプ１１により表示される。
さらに、水回路の導水時間は、インスツルメントの使用頻度、使用時間等に応じて導水時間設定器１２を切換えて設定できる。
【手続補正５】
【補正対象書類名】明細書
【補正対象項目名】０００９
【補正方法】変更
【補正の内容】
【０００９】
原水を水回路Ａ１８に切換えた場合の殺菌水生成装置３の操作は、まず、残留遊離塩素濃度調整自動・手動切換ＳＷ１３により自動あるいは手動動作に設定する。
また、残留遊離塩素濃度設定器１４及び残留離塩素濃度指示計１５とにより、残留遊離塩素濃度は１．０〜２００ｐｐｍの範囲に調整され、さらにｐＨ値は塩酸の添加量によりｐＨ３〜７の範囲内に調整されてｐＨ値表示ランプ１６が点灯し、使用適合状態であることを表示する。
【手続補正６】
【補正対象書類名】明細書
【補正対象項目名】図面の簡単な説明
【補正方法】変更
【補正の内容】
【図面の簡単な説明】
【図１】本発明歯科用治療装置の水回路切換制御器及び殺菌水生成装置の外観斜視図。
【図２】歯科用治療装置のブロック図。
【符号の説明】
１：原水供給ホース
２：水回路切換制御器
３：殺菌水生成装置
４：水回路切換制御部
５：残留遊離塩素濃度・ｐＨ値調整部
６：歯科用チェアユニット
７：インスツルメント
８、８′：ソレノイドバルブ
９：逆止弁
１０：水回路自動・手動切換ＳＷ
１１：水回路表示ランプ
１２：導水時間設定器
１３：残留遊離塩素濃度調整自動・手動切換ＳＷ
１４：残留遊離塩素濃度設定器
１５：残留遊離塩素濃度指示計
１６：ｐＨ値表示ランプ
１７：ユニット供給水ホース
１８：水回路Ａ
１９：水回路Ｂ
２０：インスツルメント内水回路
２１：インスツルメント給水ホース
２２：電源スイッチ
２３：筺体
２４：電源コード
【手続補正書】
【提出日】平成17年2月28日(2005.2.28)
【手続補正１】
【補正対象書類名】明細書
【補正対象項目名】発明の名称
【補正方法】変更
【補正の内容】
【発明の名称】手術用器具
【手続補正２】
【補正対象書類名】明細書
【補正対象項目名】特許請求の範囲
【補正方法】変更
【補正の内容】
【特許請求の範囲】
【請求項１】
体腔内に挿入する挿入部と、挿入部の先端側に設けた処置部と、挿入部の手元側に設けた操作部とを有する手術用器具において、
挿入部の基体としてのパイプの外周に形成する電気的絶縁被膜を有し、この電気的絶縁被膜は樹脂製の電気的絶縁部材と、上記電気的絶縁部材よりも電気的絶縁破壊強さの大きな薄膜のコーティング層との積層構造により形成したことを特徴とする手術用器具。
【請求項２】
高周波電源装置との接続部を有し、接続部は処置部と電気的に導通可能なものであることを特徴とする請求項１に記載の手術用器具。
【請求項３】
高周波処置用器具と併用されることを特徴とする請求項１に記載の手術用器具。
【手続補正３】
【補正対象書類名】明細書
【補正対象項目名】０００１
【補正方法】変更
【補正の内容】
【０００１】
【発明の属する技術分野】
本発明は、例えば体腔内で使用する高周波処置用器具またはそのような高周波処置用器具と併用する器具に係り、特に高周波に安全に対応する手術用器具に関する。
【手続補正４】
【補正対象書類名】明細書
【補正対象項目名】０００６
【補正方法】変更
【補正の内容】
【０００６】
本発明は前記課題に着目してなされたもので、その目的とするところは、挿入部の電気的絶縁性と機械的強度を損なうことなく挿入部の細径化または挿入部の内腔の大きさが確保できる手術用器具を提供することにある。
【手続補正５】
【補正対象書類名】明細書
【補正対象項目名】０００７
【補正方法】変更
【補正の内容】
【０００７】
【課題を解決するための手段及び作用】
本発明は、体腔内に挿入する挿入部と、挿入部の先端側に設けた処置部と、挿入部の手元側に設けた操作部とを有する手術用器具において、
挿入部の基体としてのパイプの外周に形成する電気的絶縁被膜を有し、この電気的絶縁被膜は樹脂製の電気的絶縁部材と、上記電気的絶縁部材よりも電気的絶縁破壊強さの大きな薄膜のコーティング層との積層構造により形成したことを特徴とするものである。
このように挿入部の基体としてのパイプの電気的絶縁被覆が、樹脂製の電気的絶縁部材と、上記電気的絶縁部材よりも電気的絶縁破壊強さの大きな薄膜のコーティング層との積層構造により形成したので、電気的絶縁被覆が、その総体的な厚さの割合に比べて電気的絶縁破壊強度が大きくなる。
【手続補正６】
【補正対象書類名】明細書
【補正対象項目名】００２４
【補正方法】変更
【補正の内容】
【００２４】
［第４の実施形態］
図９に基づいて本発明の第４の実施形態を説明する。この第４の実施形態の手術用器具は圧排子８０に係わるものであり、この圧排子８０はそれ自身を通じて高周波電流を流さないが、高周波電流を流す高周波処置用器具と併用される手術用器具の一つの例となっている。
【手続補正７】
【補正対象書類名】明細書
【補正対象項目名】００３５
【補正方法】変更
【補正の内容】
【００３５】
【発明の効果】
以上説明したように本発明によれば、挿入部の電気的絶縁性と機械的強度を損なうことなく挿入部の細径化または内腔の大きさを確保できる手術用器具を提供することができる。
【手続補正書】
【提出日】平成16年3月1日(2004.3.1)
【手続補正１】
【補正対象項目名】手続補正１２
【補正方法】変更
【補正の内容】
【手続補正１２】
【補正対象書類名】明細書
【補正対象項目名】００６７
【補正方法】変更
【補正の内容】
【００６７】
【発明の効果】
以上詳細に説明したように、請求項１の車両用乗員保護装置によれば、駆動手段の異常状態が検出されたときに駆動手段に供給される電源電圧を低下させる又は前記駆動手段に供給されるパルス信号のデューティー比が小さくされるので、駆動手段に過剰な電源電圧を供給することがなくなり、駆動手段の故障を防止することができる。
【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】
下記（Ａ）および（Ｂ）の反応生成物を含む、オレフィン性二重結合の選択的水素化に有効な触媒組成物：
（Ａ）少なくとも一種の、下記一般式（Ｉ）を有する遷移金属シクロペンタジエニル錯体：
（Ｒ）Ｍ（Ｒ１）（Ｒ２）（Ｒ３）  （Ｉ）
［式中、Ｍはチタン、ジルコニウムおよびハフニウムから選択され、ＲはＭに配位したη５−シクロペンタジエニル環を含むアニオンであり、かつＲ１、Ｒ２もしくはＲ３のそれぞれは独立にＭにσ−結合したアニオン性の有機もしくは無機基を示す］
（ここで、前記化合物（Ｉ）は、固形状態、担持状態、または不活性媒体中に分散された状態である）、
および、
（Ｂ）少なくとも１種の、下記一般式（ＩＩ）を有する、マグネシウムの有機金属化合物：
Ｍｇ（Ｒ４）ｎ（Ｒ５）（２−ｎ）  （ＩＩ）
［式中、Ｒ４は炭素数１〜２０の脂肪族もしくは芳香族炭化水素、Ｒ５は、ハロゲンもしくはＲ４等の基、および”ｎ”は０．５〜２．０の小数である］。
【請求項２】
Ｒ１、Ｒ２もしくはＲ３のそれぞれが独立に、水素化物、ハロゲン化物、Ｃ１−８アルキル基、Ｃ３−１２アルキルシリル基、Ｃ５−８シクロアルキル基、Ｃ６−１０アリール基、Ｃ１−８アルコキシ基、Ｃ１−８カルボキシル基、Ｃ２−１０ジアルキルアミド基およびＣ４−２０アルキルシリルアミド基からなる群から選択される、請求項１に記載の組成物。
【請求項３】
請求項１に記載の式（ＩＩ）の指数”ｎ”が２である、請求項１または２に記載の組成物。
【請求項４】
式（Ｉ）を有する化合物における基Ｒ１、Ｒ２、およびＲ３が互いに同じであり、かつ脂肪族カルボン酸塩およびフルオロカルボン酸塩から選択される、請求項１に記載の組成物。
【請求項５】
上記化合物（Ａ）が、請求項１に記載の式（Ｉ）を有する錯体［式中、Ｒ１、Ｒ２およびＲ３は、全てアルキルもしくはアリールとは異なる］をリチウムアルキルまたはリチウムアリールと、Ｌｉ／Ｍ原子比が１〜８になるような比率で、５〜３０分間にわたって１００℃を超えない温度で接触させることにより得られる、請求項１〜４のいずれか一項に記載の組成物。
【請求項６】
式（Ｉ）の化合物における金属Ｍがチタンであり、モル比（Ｍｇ／Ｔｉ）が２：１〜１０：１である、請求項１〜５のいずれか１項に記載の組成物。
【請求項７】
次の（Ａ）および（Ｂ）を互いに接触させ、かつ不活性液体媒体中で０℃〜１００℃で反応させる工程を包含する、請求項１〜６の何れか一項に記載の触媒組成物の調製方法：
（Ａ）少なくとも１種の、一般式（Ｉ）を有する遷移金属シクロペンタジエニル錯体：
（Ｒ）Ｍ（Ｒ１）（Ｒ２）（Ｒ３）  （Ｉ）
［式中、Ｍはチタン、ジルコニウム、およびハフニウムから選択され、ＲはＭに配位したη５−シクロペンタジエニル環を含むアニオンであり、かつＲ１、Ｒ２もしくはＲ３のそれぞれは独立にＭにσ−結合したアニオン性の有機もしくは無機基を示す］
（ここで、前記化合物（Ｉ）は、固形状態、担持状態、または不活性媒体中に分散された状態である）、
および、
（Ｂ）少なくとも１種の、下記一般式（ＩＩ）のマグネシウム有機金属化合物：
Ｍｇ（Ｒ４）ｎ（Ｒ５）（２−ｎ）  （ＩＩ）
［式中、Ｒ４は炭素数１〜２０の脂肪族もしくは芳香族炭化水素、Ｒ５はハロゲンもしくはＲ４等の基、および”ｎ”は０．５〜２．０の小数である］。
【請求項８】
成分（Ａ）および（Ｂ）間の比率が、ＭｇおよびＭの間の比率１〜２０になるような比率である、請求項７に記載の方法。
【請求項９】
極性非プロトン性有機化合物からなる任意の変性剤（Ｃ）の存在下に上記成分（Ａ）および（Ｂ）を反応させる、請求項１〜８のいずれか一項に記載の方法。
【請求項１０】
炭素数２０〜３０を有する有機エーテルおよびポリエーテルから上記変性剤（Ｃ）が選択される、請求項９に記載の方法。
【請求項１１】
成分（Ａ）との混合物として変性剤（Ｃ）を添加し、かつ成分（Ｂ）と混合物［（Ａ）＋（Ｃ）］の間の反応を２０〜７０℃で生起させる、請求項９または１０に記載の方法。
【請求項１２】
成分（Ａ）、（Ｂ）、および任意に（Ｃ）を接触させ、オレフィン性不飽和基質の存在下に反応させる、請求項９〜１１のいずれか一項に記載の方法。
【請求項１３】
単量体状または重合体状オレフィン性不飽和基質のオレフィン性二重結合の選択的水素化方法であって、前記基質を不活性溶剤中で適正な温度と圧力の下、請求項１〜６のいずれか一項に記載の触媒組成物の存在下に、オレフィン性二重結合の少なくとも５０％が選択的に水素化されるに十分な時間帯にわたって水素と接触および反応させる工程を包含する方法。
【請求項１４】
前記基質が、ビニル芳香族化合物と共役ジエンとの共重合体からなる、請求項１３に記載の方法。
【請求項１５】
水素化を、水素圧０．５〜１０ＭＰａおよび温度範囲４０〜１１０℃で非重合体状基質について実施し、ならびに水素圧０．１〜１０ＭＰａおよび温度範囲２０〜１５０℃で重合体状基質について実施する、請求項１３または１４に記載の方法。
【手続補正書】
【提出日】平成17年10月17日(2005.10.17)
【手続補正１】
【補正対象書類名】明細書
【補正対象項目名】特許請求の範囲
【補正方法】変更
【補正の内容】
【特許請求の範囲】
【請求項１】
・少なくとも１つのアルミナ・マトリックス１〜９９重量％、
・２．４３８ｎｍを越える結晶パラメータと、８未満のＳｉＯ２／Ａｌ２Ｏ３全体モル比と、２１未満でありかつＳｉＯ２／Ａｌ２Ｏ３全体モル比を越える骨格のＳｉＯ２／Ａｌ２Ｏ３モル比とを有する少なくとも１つのゼオライトＹ０．１〜８０重量％、
・第VIII族の少なくとも１つの金属０．１〜３０重量％および／または第VIB 族の少なくとも１つの金属１〜４０重量％、
・リン０．１〜２０重量％、および
・第VIIA族の少なくとも１つの元素０〜２０重量％
を含む触媒。
【請求項２】  第VIIA族の元素がフッ素である、請求項１記載の触媒。
【請求項３】  直径２５ｎｍを越える細孔が総細孔容積（ＶＰＴ）の１０％未満の容積を占め、
直径１６ｎｍを越える細孔がＶＰＴの１〜１４％であり、直径１０〜１６ｎｍの細孔がＶＰＴの少なくとも６０％であり、残部が直径１０ｎｍ未満の細孔に相当する、請求項１または２記載の触媒。
【請求項４】  ゼオライトＹとアルミナ湿潤ゲルとの混練、これに次ぐ押出しおよび２５０〜６００℃での焼成により得られる、請求項１〜３のいずれか１項記載の触媒。
【請求項５】  圧力少なくとも２ＭＰａ、温度少なくとも２３０℃、水素量仕込原料１リットル当り少なくとも１００Ｎリットル、毎時空間速度０．１〜１０ｈ−１での請求項１〜４のいずれか１項記載の触媒を用いる水素化クラッキング方法。
【請求項６】  圧力が２〜１２ＭＰａ、温度が３００〜４８０℃、転換率が５５％未満である、請求項５記載の方法。
【請求項７】  圧力が７．５〜１１ＭＰａである、請求項６記載の方法。
【請求項８】  圧力が８〜１１ＭＰａである、請求項６記載の方法。
【請求項９】  圧力が少なくとも８．５ＭＰａ、温度が３００〜４３０℃、転換率が少なくとも５５％である、請求項５記載の方法。
【請求項１０】  仕込原料が水素化クラッキングに先立って水素化処理される、請求項５〜８のいずれか１項記載の方法。
【請求項１１】  水素化処理触媒が、少なくとも１つの第VIII族金属と、少なくとも１つの第VIB 族金属と、リンと、場合によってはホウ素とを含む、請求項９記載の方法。
【手続補正２】
【補正対象書類名】明細書
【補正対象項目名】０００１
【補正方法】変更
【補正の内容】
【０００１】
【発明の属する技術分野】
本発明は、炭化水素仕込原料の水素化クラッキング触媒に関し、前記触媒は、第VIB 族（元素周期表の新規記号表記による第６族：Handbook of Chemistry and Physics 、第76版、1995−1996年）の少なくとも１つの金属、好ましくはモリブデンおよびタングステンと、場合によっては前記周期律表の第VIII族（第８、９および１０族）の少なくとも１つの金属、好ましくはコバルト、ニッケルおよび鉄とを含む。これら金属は、非晶質または不完全結晶化細孔アルミナ・マトリックスと、２．４３８ｎｍを越える結晶パラメータの非脱アルミニウム・ゼオライトＹとを含む担体に組合わされる。触媒のアルミナ・マトリックスは、リンと、場合によっては第VIIA族（ハロゲンの第１７族）の少なくとも１つの元素、特にフッ素とを含む。